(57)【要約】【課題】隣接する遊技機本体間の空間内に収納でき、かつ引き出し長さを長くすることができる遊技機用腕載せ台及び腕載せ台を備えた遊技機を提供する。【解決手段】遊技機用腕載せ台は、隣接する遊技機本体間の隙間を覆うパネルに設けられた開口部を介して出し入れ自在に設けられている。遊技機用腕載せ台は、パネルの裏側の開口部の位置に設けられており、パネルの表裏方向かつ水平方向に伸長する固定レール部材と、開口部を介して固定レール部材の伸長方向に移動可能であり、固定レール部材にスライド自在に装着された第１のスライド部材と、開口部を介して固定レール部材の伸長方向に移動可能であり、第１のスライド部材にスライド自在に装着された第２のスライド部材と、固定レール部材の伸長方向と垂直の面内において回動可能に第２のスライド部材上に装着されており、遊技を行う遊技者の腕を載せるための腕載せ部とを備えている。【選択図】図１
2014057647.tif 000002
【特許請求の範囲】
【請求項１】
隣接する遊技機本体間の隙間を覆うパネルに設けられた開口部を介して出し入れ自在に設けられる遊技機用腕載せ台であって、
前記パネルの裏側の前記開口部の位置に設けられており、該パネルの表裏方向かつ水平方向に伸長する固定レール部材と、
前記開口部を介して前記固定レール部材の伸長方向に移動可能であり、該固定レール部材にスライド自在に装着された第１のスライド部材と、
前記開口部を介して前記固定レール部材の伸長方向に移動可能であり、前記第１のスライド部材にスライド自在に装着された第２のスライド部材と、
前記固定レール部材の伸長方向と垂直の面内において回動可能に前記第２のスライド部材上に装着されており、遊技を行う遊技者の腕を載せるための腕載せ部と
を備えていることを特徴とする遊技機用腕載せ台。
【請求項２】
前記腕載せ部は、腕載せ面を有する板状部材と、該板状部材の一方の側縁に取り付けられ、前記第２のスライド部材の移動方向に沿って伸長する回動軸とを備えており、
前記腕載せ部は、前記回動軸を中心に略垂直方向及び略水平方向の間で約９０度回動可能に構成されていることを特徴とする請求項１に記載の遊技機用腕載せ台。
【請求項３】
前記腕載せ部は、回動位置を前記略垂直方向及び前記略水平方向にそれぞれ保持可能に構成されていることを特徴とする請求項１又は２に記載の遊技機用腕載せ台。
【請求項４】
前記腕載せ部の少なくとも前記腕載せ面が、樹脂材料で形成されていることを特徴とする請求項２に記載の遊技機用腕載せ台。
【請求項５】
前記第１のスライド部材の表側端面には、該第１のスライド部材を引き出すためのつまみが設けられていることを特徴とする請求項１から４のいずれか１項に記載の遊技機用腕載せ台。
【請求項６】
遊技機本体と、隣接する該遊技機本体間の隙間を覆うパネルの部分に設けられた、請求項１から５のいずれか１項に記載の遊技機用腕載せ台とを備えたことを特徴とする遊技機。
【請求項７】
前記パネルに、説明書を収容するカードホルダと、充電用ＵＳＢポートと、カップホルダとが配置されていることを特徴とする請求項６に記載の遊技機。
【発明の詳細な説明】
【技術分野】
【０００１】
本発明は、隣接する遊技機本体間の隙間を覆うパネルの内側に収納することができ、遊技者が遊技機の操作ハンドルを操作する際等に腕を載せるための遊技機用腕載せ台及び腕載せ台を備えた遊技機に関する。
【背景技術】
【０００２】
遊技機（例えば、パチンコ台、スロット台及び／又はパチスロ台等）を使用する場合、遊技者が遊技機前面の右側（遊技者から見て）に突設されたハンドルやレバーを手動で操作してゲームを行う。しかしながら、このようなゲームを長時間に渡って続けると、腕や肩に疲労が生じ、ゲームを充分に楽しむことができなくなる可能性があった。
【０００３】
このような腕や肩の疲労を軽減する目的で、遊技機の前面に位置する水平台板に、着脱可能に装着される遊技機用肘掛けが提案されている（例えば、特許文献１）。
【０００４】
特許文献１に記載された遊技機用肘掛けは、遊技機側の被固定部（水平台板）の縁部を上下から挟み込むようにこの被固定部に着脱自在に取り付けられる装着部と、この装着部にネジ等で固定される接続部と、遊技者の肘を支持する肘掛け部とを有する肘掛け本体と、装着部の一側面に回動可能に取り付けられ、肘掛け部に作用する下向きの力に抗する支持アームとを備えている。
【０００５】
同様に遊技者の疲労を軽減する目的で、遊技機の操作ハンドルの下側に遊技者の手又は腕を載せるための腕載せ台を有する弾球遊技機が提案されている（例えば、特許文献２）。
【０００６】
特許文献２に記載された弾球遊技機は、操作ハンドルの下方に腕載せ台を設け、この腕載せ台を弾球遊技機の本体内に出し入れ自在としている。腕載せ台は弾球遊技機の右下部に開けられた収納穴内に挿入されている。収納穴は弾球遊技機の前面側（遊技者側）から背面側に貫通しており、腕載せ台はその中を前後に往復移動可能となっている。また、収納穴の底面には、腕載せ台を収容状態に保持するための保持部材がビス止めされている。
【先行技術文献】
【特許文献】
【０００７】
【特許文献１】特開２０１１−２３９８７４号公報
【特許文献２】特開平１０−２１１３１９号公報
【発明の概要】
【発明が解決しようとする課題】
【０００８】
特許文献１に係る遊技機用肘掛けは、遊技機側の水平台板の縁部に取り付けるため、使用しないときは、肘掛け部を外しても装着部が邪魔になるという大きな問題があった。また、遊技機周辺の掃除の際にも装着部が邪魔となる。
【０００９】
一方、特許文献２に係る弾球遊技機は、腕載せ台が遊技機の本体内に出し入れ自在であるが、この腕載せ台を引き出した際の長さを短くせざるを得ないという問題点があった。即ち、引き出し長さを長くすると、腕載せ台を収納した際にその後端部が遊技機の背面から突き出てしまうのである。さらに、遊技機の下部に、腕載せ台を収納するスペースを新たに設ける必要があり、遊技機の高さ方向の寸法が変更するため、従来の遊技機を設置するための設置ユニット（島）に設置することができなかった。
【００１０】
なお、遊技場においては、一般に、遊技機本体を設置するための設置ユニットに多数の遊技機本体（例えば、パチンコ台、スロット台及び／又はパチスロ台等）が互いに隣接して並列設置されており、これら互いに隣接する遊技機本体の間には、台間の隙間を覆うパネルが設置されている。互いに隣接する遊技機本体間の空間を有効に利用するために、例えばこのパネルの上部に遊技機の遊技内容に関する説明書を収容する収容部（カードホルダ）が設けられ、下部に折畳み可能なカップホルダ等が設けられることがある。この空間をさらに有効に利用することが要望されている。
【００１１】
従って、本発明の目的は、このような状況に鑑みてなされたものであって、隣接する遊技機本体間の空間内に収納でき、かつ引き出し長さを長くすることができる遊技機用腕載せ台及び腕載せ台を備えた遊技機を提供することにある。
【課題を解決するための手段】
【００１２】
本発明によれば、遊技機用腕載せ台は、隣接する遊技機本体間の隙間を覆うパネルに設けられた開口部を介して出し入れ自在に設けられている。遊技機用腕載せ台は、パネルの裏側の開口部の位置に設けられており、パネルの表裏方向かつ水平方向に伸長する固定レール部材と、開口部を介して固定レール部材の伸長方向に移動可能であり、固定レール部材にスライド自在に装着された第１のスライド部材と、開口部を介して固定レール部材の伸長方向に移動可能であり、第１のスライド部材にスライド自在に装着された第２のスライド部材と、固定レール部材の伸長方向と垂直の面内において回動可能に第２のスライド部材上に装着されており、遊技を行う遊技者の腕を載せるための腕載せ部とを備えている。
【００１３】
このような遊技機用腕載せ台によれば、パネルの設けられている隣接する遊技機間の空間内に収納でき、かつ二段階の引き出し構造により、充分な引き出し長さを確保することができる。
【００１４】
腕載せ部は、腕載せ面を有する板状部材と、板状部材の一方の側縁に取り付けられ、第２のスライド部材の移動方向に沿って伸長する回動軸とを備えており、さらにこの腕載せ部は、回動軸を中心に略垂直方向及び略水平方向の間で約９０度回動可能に構成されていることが好ましい。この場合、腕載せ部は、回動位置を略垂直方向及び略水平方向にそれぞれ保持可能に構成されていることがより好ましい。これにより、収納時に、腕載せ部を略垂直方向位置（縦向き位置）に回動させて保持し狭い隙間に挿入できるようにすると共に、使用時に略水平方向位置（横向き位置）に回動させて保持することができる。
【００１５】
腕載せ部の少なくとも腕載せ面が、樹脂材料で形成されていることが好ましい。これにより、腕載せ面に柔軟性を持たせ、手の動き及び腕の動きへのなじみを良好にすることができる。
【００１６】
第１のスライド部材の表側端面には、この第１のスライド部材を引き出すためのつまみが設けられていることが好ましい。これにより、使用する際に、第１のスライド部材と、第２のスライド部材と、腕載せ部とを一緒に引き出すことが可能となる。
【００１７】
本発明によれば、さらに、遊技機本体と、隣接する遊技機本体間の隙間を覆うパネルの部分に設けられた、上述した遊技機用腕載せ台とを備えた遊技機が提供される。
【００１８】
パネルに、説明書を収容するカードホルダと、充電用ＵＳＢポートと、カップホルダとがさらに配置されていることが好ましい。
【発明の効果】
【００１９】
本発明によれば、遊技機用腕載せ台は、パネルの設けられている隣接する遊技機本体間の空間内に収納でき、かつ二段階の引き出し構造により、充分な引き出し長さを確保することができる。
【図面の簡単な説明】
【００２０】
【図１】本発明の一実施形態における遊技機用腕載せ台の構成を概略的に示す斜視図である。
【図２】図１の実施形態における遊技機用腕載せ台の構成を概略的に示す平面図である。
【図３】図１の実施形態における遊技機用腕載せ台の引き出し途中の状態を示す斜視図である。
【図４】図１の実施形態における遊技機用腕載せ台の収納状態を示す斜視図である。
【図５】図１の実施形態における遊技機用腕載せ台を備えた遊技機の一例を概略的に示す斜視図である。
【図６】図１の実施形態における遊技機用腕載せ台を備えた遊技機の他の例を概略的に示す斜視図である。
【図７】図１の実施形態における遊技機用腕載せ台を備えた遊技機のさらに他の例を概略的に示す斜視図である。
【発明を実施するための形態】
【００２１】
以下、本発明に係る遊技機用腕載せ台及び腕載せ台を備えた遊技機に関する実施形態を、図を参照して説明する。
【００２２】
図１及び図２は本発明の一実施形態における遊技機用腕載せ台１００の全体構成を示している。ただし、図１は、遊技機用腕載せ台１００を引き出した状態（使用状態）を示しており、図２（ａ）は遊技機用腕載せ台１００の上面から見た平面図であり、図２（ｂ）は遊技機用腕載せ台１００の側面から見た平面図であり、図２（ｃ）は遊技機用腕載せ台１００の前面から見た平面図である。
【００２３】
図１及び図２に示すように、本実施形態における遊技機用腕載せ台１００は、パネルＭの裏側の開口部Ｎの位置に設けられ、パネルの表裏方向かつ水平方向に伸長する固定レール部材１０と、開口部Ｎを介して固定レール部材１０の伸長方向に移動可能であり、固定レール部材１０にスライド自在に装着された第１のスライド部材２０と、開口部Ｎを介して固定レール部材１０の伸長方向に移動可能であり、第１のスライド部材２０にスライド自在に装着された第２のスライド部材３０と、固定レール部材１０の伸長方向と垂直の面内において回動可能に第２のスライド部材３０上に装着されており、遊技を行う遊技者の腕を載せるための腕載せ部４０とを備えている。遊技機用腕載せ台１００は、隣接する遊技機本体Ｐ間の隙間を覆うパネルＭに設けられた開口部Ｎに出し入れ自在に装着されており、ここで、開口部Ｎは、パネルＭの下部に形成されている。使用時及び収納時には、開口部Ｎの大部分が扉Ｎ’で閉止されている。引き出した状態（使用状態）で遊技者は腕を腕載せ部４０に載せながら遊技機本体ＰのハンドルＨを操作することができる。
【００２４】
固定レール部材１０は、所定長さを有する角柱状部材であり、パネルＭの裏側に設けられた断面コ字形の装着枠１２の片側に沿ってパネルＭの表裏方向（前後方向）かつ水平方向に伸長して装着されている。この固定レール部材１０の側面には、第１のスライド部材２０のスライド溝２１にスライド可能に係合するためのスライドレール１１が形成されている。図２（ａ）中の固定レール部材１０と第１のスライド部材２０との局部拡大断面図に示すように、このスライドレール１１は幅広頭部を有する凸形状の軸断面を有しており、第１のスライド部材２０のスライド溝２１がこのスライドレール１１に嵌合するように構成されている。第１のスライド部材２０がスライドレール１１に沿って摺動することによって、遊技機用腕載せ台１００が開口部Ｎに対して引き出し又は収納される。
【００２５】
第１のスライド部材２０は、所定長さを有する角柱状部材であり、互いに隣接する２つの側面（即ち、水平設置時の側面及び上面）にスライド溝２１及び２２がそれぞれ形成されている。また、第１のスライド部材２０の表側端面には、この端面を覆う端面部材２３と、つまみ２４とが設けられ、裏側端面には、この端面を覆う端面部材２５が設けられている。端面部材２３及び２５は、それぞれストッパ機能を有し、スライドレール１１の縁端又はスライドレール部材３２の縁端が当接することで、第１のスライド部材２０及び第２のスライド部材３０のスライド動作を規制する。
【００２６】
第２のスライド部材３０は、所定長さを有する角柱状部材３１と、この角柱状部材３１の下面に固着されたスライドレール部材３２とを備えている。角柱状部材３１は、角棒材又は中空の角筒材から形成され、その両端面には装飾するための端面部材３１ａ及び３１ｂが設けられている。スライドレール部材３２は、角柱状部材３１と同幅を有する直方体形状に形成され、その下面に第１のスライド部材２０の上面のスライド溝２２に嵌合するレール部３３が設けられている。図２（ａ）中の第１のスライド部材２０とスライドレール部材３２との局部拡大断面図に示すように、このレール部３３は幅広頭部を有する凸形状の軸断面を有しており、第１のスライド部材２０のスライド溝２２に嵌合するように構成されている。スライドレール部材３２のレール部３３が第２のスライド部材３０のスライド溝２２に沿って摺動するように構成されている。
【００２７】
腕載せ部４０は、樹脂材料から形成された板状部材である。この腕載せ部４０は、例えば、前後方向又は表裏方向（第２のスライド部材３０の移動方向）に沿って伸長する回動軸を有する２つの蝶番４１ａ及び４１ｂを介して第２のスライド部材３０に装着されている。２つの蝶番４１ａ及び４１ｂの上面には、カバー部材４２が設けられている。腕載せ部４０は、略水平方向位置（横向き位置）と略垂直方向位置（縦向き位置）との間で約９０度回動可能に構成されており、さらに、略水平方向位置（横向き位置）と略垂直方向位置（縦向き位置）とにおいて、その状態を保持できる構造になっている。即ち、収納する際は、腕載せ部４０を略水平方向位置から略垂直方向位置に約９０度回動させ、収納可能位置にする。使用する際は、腕載せ部４０を引き出した時の略垂直方向位置から略水平方向位置に約９０度逆回動させることで、展開させ腕を載せる状態とすることができる。なお、腕載せ部４０の形状は、図示の形状に限定されるものではない。
【００２８】
図３は、遊技機用腕載せ台１００をパネルＭの裏側へ収納している途中状態を示している。同図に示すように、収納する際は、腕載せ部４０が略垂直方向位置にある。腕載せ部４０が略垂直方向位置にある時、外端部を押し込むと、第１のスライド部材２０及び第２のスライド部材３０が同時又は順にスライドすることで、遊技機用腕載せ台１００が開口部Ｎを介してパネルＭの裏側へ移動する。
【００２９】
図４は、遊技機の移送などの際に、遊技機用腕載せ台１００をパネルＭの裏側へ収納し、扉Ｎ’を閉止した状態を示している。同図に示すように、この収納状態では、遊技機用腕載せ台１００がパネルＭの裏側に完全に収納されている。この場合、パネルＭの開口部Ｎの上の大部分が扉Ｎ’で閉止されており、下部は第１のスライド部材２０の端面部材２３及びつまみ２４が露出している。この状態から遊技機用腕載せ台１００を引き出す際は、扉Ｎ’を開けて、つまみ２４をつまんで引き出すことができる。扉Ｎ’には図示しない鍵をかけて部外者が開けることができないようにする。即ち、遊技機を設置した際に、遊技機用腕載せ台１００を引き出した後は、扉Ｎ’に鍵をかけて部外者が扉Ｎ’を開けることができないようにする。遊技機用腕載せ台１００を使用する際は、第１のスライド部材２０及び第２のスライド部材３０が完全に引き出された状態とし、使用しない場合は、第１のスライド部材２０及び第２のスライド部材３０又は腕載せ部４０を押し込み、第２のスライド部材３０の端面部材３１ａが扉Ｎ’に当接させた状態まで引き出し長さを短くさせる。
【００３０】
図５は、隣接する遊技機本体Ｐの間隔が狭く、幅が比較的に狭いパネルＭが用いられている場合の、遊技機用腕載せ台１００を備えた遊技機の一例を示している。同図に示すように、隣接する遊技機本体Ｐ間の隙間を覆うパネルＭの上部から順に、説明書を収容するカードホルダＡと、充電用ＵＳＢポートＢと、カップホルダＣとがさらに配置されており、カップホルダＣの下部に遊技機用腕載せ台１００を収納する開口部Ｎが設けられている。遊技機用腕載せ台１００は、開口部Ｎに出し入れ自在に装着されている。
【００３１】
図６は、隣接する遊技機本体Ｐ’の間隔が広く、幅が比較的に広いパネルＭ’が用いられている場合の、遊技機用腕載せ台１００を備えた遊技機の他の例を示している。同図に示すように、隣接する遊技機本体Ｐ’間の隙間を覆うパネルＭ’の右側上部から順に、説明書を収容するカードホルダＡと、収納ボックスＳと、充電用ＵＳＢポートＢと、カップホルダＣとがさらに配置されている。パネルＭ’の左側下部に遊技機用腕載せ台１００を収納する開口部Ｎが設けられている。遊技機用腕載せ台１００は、開口部Ｎに出し入れ自在に装着されている。また、パネルＭ’の左側上部は、注意事項又は広告等のシールを貼り付けるためのシール貼り付け部として利用できる。
【００３２】
図７は、隣接する遊技機本体Ｐの間隔が狭く、幅が比較的に狭いパネルＭが用いられており、かつパネルＭに仕切り板Ｔが設けられている場合の、遊技機用腕載せ台１００を備えた遊技機のさらに他の例を示している。同図に示すように、仕切り板ＴはパネルＭの右側に設置されている。仕切り板Ｔを設けることで、各遊技機の座席間が区切りされる。なお、パネルＭの形状、及び遊技機用腕載せ台１００の設置位置は、図５の場合と同様である。
【００３３】
仕切り板Ｔは、平板状の仕切り板本体Ｔ１と、上部に弧状の切欠き溝Ｔ５を有する平板状の仕切り板補助体Ｔ２とが軸部Ｔ３とガイド部Ｔ４とで係合され一部重なるように設けられている。仕切り板補助体Ｔ２が軸部Ｔ３を支点にして切欠き溝Ｔ５に沿って回動可能である。仕切り板本体Ｔ１と仕切り板補助体Ｔ２は透明材料から形成されている。また、仕切り板本体Ｔ１と仕切り板補助体Ｔ２の湾曲辺縁には保護部材Ｆが設けられ、仕切り板本体Ｔ１の鉛直辺には補強部材Ｅが設けられている。さらに、仕切り板本体Ｔ１の上下には仕切り板本体Ｔ１を挟持する係合部材Ｇが設けられている。
【００３４】
以上説明したように、本実施形態によれば、遊技機用腕載せ台１００が固定レール部材１０にスライド自在に装着された第１のスライド部材２０と、第１のスライド部材２０にスライド自在に装着された第２のスライド部材３０と、遊技を行う遊技者の腕を載せるための腕載せ部４０とを備えているため、第１のスライド部材２０及び第２のスライド部材３０による二段階の引き出し構造を完全に引き出した状態では、腕載せ部４０を遊技機表面から充分に前方の最適な位置に配置することができる。このため、遊技者は最適位置において腕を腕載せ部４０に載せながら遊技機本体ＰのハンドルＨを操作することができる。
【００３５】
さらに、本実施形態によれば、腕載せ部４０がスライド方向と垂直の面内において第２のスライド部材３０に回動可能に設けられているため、また、二段階の引き出し構造であるため、遊技機用腕載せ台１００を隣接する遊技機本体間の狭く奥行きの短い空間内に収納することができる。
【００３６】
さらにまた、本実施形態によれば、腕載せ部４０が、略垂直方向位置と略水平方向位置との間で回動可能とされると共に、略垂直方向位置と略水平方向位置とに保持できる構造になっていることで、収納時に、腕載せ部４０を略垂直方向位置として狭い隙間に挿入できると共に、使用時に略水平方向位置として腕載せの機能を与えることができる。
【００３７】
また、第１のスライド部材２０の外端部には、この第１のスライド部材２０を引き出すためのつまみ２４が設けられていることで、使用する際に、つまみ２４を引くことにより、第１のスライド部材２０と、第２のスライド部材３０と、腕載せ部４０とを一緒に容易に引き出すことができる。
【００３８】
さらに、腕載せ部４０は、少なくとも腕載せ面が樹脂材料で形成されていることで、腕載せ面に柔軟性を持たせ、手の動き、腕の動きへのなじみがよくなる。
【００３９】
なお、上述した実施形態において、遊技機用腕載せ台１００は、二段階の引き出し構造としたが、本発明はこれに限定されるものではない。必要な引き出し長さに応じて一段階又は三段階の引き出し構造にしてもよい。
【００４０】
また、上述した実施形態においては、腕載せ部４０は、樹脂材料で形成されている構成について説明したが、本発明はこれに限定されるものではない。例えば、腕載せ部４０の上表面部のみ樹脂材料から成型され、上表面部以外の部分が木材、又は金属材料から形成するようにしてもよい。
【００４１】
さらに、上述した実施形態において、遊技機用腕載せ台１００は、隣接する遊技機本体Ｐの間の空間に設置する例を説明したが、本発明はこれに限定されるものではない。また、本発明の遊技機用腕載せ台１００を、遊技機以外の装置に適用してもよい。
【００４２】
以上述べた実施形態は本発明を例示的に示すものであって限定的に示すものではなく、本発明は他の種々の変形態様及び変更態様で実施することができる。従って本発明の範囲は特許請求の範囲及びその均等範囲によってのみ規定されるものである。
【産業上の利用可能性】
【００４３】
本発明は、長時間にゲ−ムを続けると腕や肩に疲労を生じることを防止するための腕載せ台をコンパクトにして収納可能にし、かつ隣接する遊技機本体の間の空間を有効に利用する目的に利用できる。
【符号の説明】
【００４４】
１０  固定レール部材
１１  凸状スライドレール
１２  装着枠
２０  第１のスライド部材
２１、２２  スライド溝
２３、２５、３１ａ  端面部材
２４  つまみ
３０  第２のスライド部材
３１  角柱状部材
３２  スライドレール部材
３３  レール部
４０  腕載せ部
４１ａ、４１ｂ  蝶番
４２  カバー部材
１００  遊技機用腕載せ台
Ａ  カードホルダ
Ｂ  充電用ＵＳＢポート
Ｃ  カップホルダ
Ｅ  補強部材
Ｆ  保護部材
Ｇ  係合部材
Ｐ、Ｐ’  遊技機本体
Ｍ、Ｍ’  パネル
Ｎ  開口部
Ｓ  収納ボックス
Ｔ  仕切り板
Ｔ１  仕切り板本体
Ｔ２  仕切り板補助体
Ｔ３  軸部
Ｔ４  ガイド部
Ｔ５  切欠き溝
【図１】
2014057647.tif 000003
【図２】
2014057647.tif 000004
【図３】
2014057647.tif 000005
【図４】
2014057647.tif 000006
【図５】
2014057647.tif 000007
【図６】
2014057647.tif 000008
【図７】
2014057647.tif 000009